(57)【特許請求の範囲】
【請求項１】
表示部が組み付けられた第１の筐体と操作キーが組み付けられた第２の筐体とが、ヒンジを介して開閉自在に構成され、前記第１の筐体に棒状のアンテナが取り付けられた折り畳み式の携帯電話機において、
前記アンテナを前記第１の筐体の裏面上で回動可能に取り付けるために、前記アンテナの長手方向に直交するように前記アンテナに設けた回動軸と、
前記アンテナの回動軸を軸支するために前記第１の筐体の裏面に設けた軸支持部と、
前記アンテナを前記第１の筐体裏面から離反する方向に前記アンテナを付勢する付勢部材と、
前記２つの筐体を折り畳んだ状態において、前記アンテナを前記第１の筐体裏面に沿うように前記アンテナを係止する弾性を有する一対の係止部材と、
前記２つの筐体を折り畳んだ状態から開く際、前記係止部材による前記アンテナの係止を解くため、前記第２の筐体の側部に設けた突起部とからなり、
前記２つの筐体を折り畳んだ状態から開く時、前記突起部を、前記アンテナの先端部に当接させることで、前記係止部材による前記アンテナの係止状態を解くと共に、前記付勢部材の付勢力で、前記アンテナを前記第１の筐体裏面から離反する方向に回動せしめ、且つ、前記アンテナを所定の位置にセットするように構成したことを特徴とする折り畳み式の携帯電話機。
【請求項２】
前記軸支持部は、前記ヒンジ部が設けられた側と反対側の前記第１の筐体裏面に設けられたことを特徴とする請求項１記載の折り畳み式の携帯電話機。
【請求項３】
前記係止部材は、前記第１の筐体内に収納された基板に取り付けられ、前記アンテナを折り畳んだ状態において、前記係止部材により、前記アンテナと前記基板上に形成された電子回路との電気的な接続が行われることを特徴とする請求項１又は２記載の折り畳み式の携帯電話機。
【請求項４】
前記アンテナが開いた状態においては、前記基板に設けた給電部が、前記回動軸側の前記アンテナの端部に接触することで、前記アンテナと前記基板上に形成された電子回路との電気的な接続が行われることを特徴とする請求項３記載の折り畳み式の携帯電話機。
【発明の詳細な説明】
【０００１】
【発明の属する技術分野】
本発明は、折り畳み式の携帯電話機に関わり、特に、折り畳み式の携帯電話機を開いた際、アンテナが自動的に所定の位置にセットされ、スピーディに且つ安定した通話を可能にした折り畳み式の携帯電話機に関する。
【０００２】
【従来の技術】
図９は、従来の折り畳み式の携帯電話機を示す図である。
【０００３】
図９の折り畳み式の携帯電話機を使用する場合、まず折り畳んだ筐体１、２を開いてから（第１の動作）、次に、アンテナ先端部５をつまんでアンテナを伸ばし（第２の動作）、通話を行う。しかしながら、上記したように、折り畳み式の電話機を使用する際、前記第１の動作及び第２の動作が必要であり、操作が面倒であった。
【０００４】
【発明が解決しようとする課題】
本発明の目的は、上記した従来技術の欠点を改良し、特に、折り畳み式の携帯電話機を開いた際、アンテナが自動的に所定の位置にセットされ、スピーディに且つ安定した通話を可能にする新規な折り畳み式の携帯電話機を提供するものである。
【０００５】
【課題を解決するための手段】
本発明は上記した目的を達成するため、基本的には、以下に記載されたような技術構成を採用するものである。
【０００６】
即ち、本発明に係わる携帯電話機の第１態様は、
表示部が組み付けられた第１の筐体と操作キーが組み付けられた第２の筐体とが、ヒンジを介して開閉自在に構成され、前記第１の筐体に棒状のアンテナが取り付けられた折り畳み式の携帯電話機において、
前記アンテナを前記第１の筐体の裏面上で回動可能に取り付けるために、前記アンテナの長手方向に直交するように前記アンテナに設けた回動軸と、
前記アンテナの回動軸を軸支するために前記第１の筐体の裏面に設けた軸支持部と、
前記アンテナを前記第１の筐体裏面から離反する方向に前記アンテナを付勢する付勢部材と、
前記２つの筐体を折り畳んだ状態において、前記アンテナを前記第１の筐体裏面に沿うように前記アンテナを係止する弾性を有する一対の係止部材と、
前記２つの筐体を折り畳んだ状態から開く際、前記係止部材による前記アンテナの係止を解くため、前記第２の筐体の側部に設けた突起部とからなり、
前記２つの筐体を折り畳んだ状態から開く時、前記突起部を、前記アンテナの先端部に当接させることで、前記係止部材による前記アンテナの係止状態を解くと共に、前記付勢部材の付勢力で、前記アンテナを前記第１の筐体裏面から離反する方向に回動せしめ、且つ、前記アンテナを所定の位置にセットするように構成したことを特徴とするものであり、
叉、第２態様は、
前記軸支持部は、前記ヒンジ部が設けられた側と反対側の前記第１の筐体裏面に設けられたことを特徴とするものであり、
叉、第３態様は、
前記係止部材は、前記第１の筐体内に収納された基板に取り付けられ、前記アンテナを折り畳んだ状態において、前記係止部材により、前記アンテナと前記基板上に形成された電子回路との電気的な接続が行われることを特徴とするものであり、
叉、第４態様は、
前記アンテナが開いた状態においては、前記基板に設けた給電端子が、前記回動軸側の前記アンテナの端部に接触することで、前記アンテナと前記基板上に形成された電子回路との電気的な接続が行われることを特徴とするものである。
【０００７】
【発明の実施の形態】
本発明に係わる折り畳み式の携帯電話機は、
表示部１ａが組み付けられた第１の筐体１と操作キー２ａが組み付けられた第２の筐体２とが、ヒンジ２０を介して開閉自在に構成され、前記第１の筐体１に棒状のアンテナ３が取り付けられた折り畳み式の携帯電話機において、
前記アンテナ３を前記第１の筐体１の裏面上で回動可能に取り付けるために、前記アンテナ３の長手方向に直交するように前記アンテナ３に設けた回動軸７と、
前記アンテナの回動軸７を軸支するために前記第１の筐体１の裏面に設けた軸支持部１２と、
前記アンテナ３を前記第１の筐体１裏面から離反する方向に前記アンテナ３を付勢する付勢部材８と、
前記２つの筐体１、２を折り畳んだ状態において、前記アンテナ３を前記第１の筐体１裏面に沿うように前記アンテナ３を係止する弾性を有する一対の係止部材１０と、
前記２つの筐体１、２を折り畳んだ状態から開く際、前記係止部材１０による前記アンテナ３の係止を解くため、前記第２の筐体２の側部に設けた突起部１６とからなり、
前記２つの筐体１、２を折り畳んだ状態から開く時、前記突起部１６を、前記アンテナ３の端部６に当接させることで、前記係止部材１０による前記アンテナの係止状態を解くと共に、前記付勢部材８の付勢力で、前記アンテナ３を前記第１の筐体１裏面から離反する方向に回動せしめ、且つ、前記アンテナ３を所定の位置にセットするように構成したことを特徴とするものである。
【０００８】
したがって、本発明の畳み式の携帯電話機では、二つの筐体１、２を開くと同時に、アンテナ３が所定の位置にセットされるから、迅速に、しかも安定した通話が可能になる。
【０００９】
【実施例】
以下に、本発明に係わる折り畳み式の携帯電話機の具体例を図面を参照しながら詳細に説明する。
【００１０】
図１〜図８は、本発明の折り畳み式の携帯電話機を示す図であって、図１は、本発明の電話機を開いた状態を示す正面図、図２（ａ）はその裏面図、図２（ｂ）はその側面図、図３（ａ）、（ｂ）、（ｃ）は、それぞれ、本発明の電話機を閉じた状態を示す正面図、裏面図、側面図である。又、図４は、液晶側筐体の分解斜視図、図５は、折り畳んだ状態での断面図、図６は、図５の状態から筐体を開いた状態を示す断面図、図７は、完全に筐体が開いた状態を示す断面図、図８は、液晶側筐体のリアーカバーを手でつかもうとする状態を示す図である。
【００１１】
図１に示すように、本発明の折り畳み式の携帯電話機は、液晶側筐体１とキー側筐体２とがヒンジ２０を介して、開閉自在に組み立てられている。
【００１２】
液晶側筐体１の一方の面には、表示用の液晶表示装置１ａが取り付けられ、裏面には、アンテナ３が取り付けられている。又、キー側筐体２には、操作用のキー２ａが設けられている。
【００１３】
次に、本発明のアンテナ３の取り付け構造について、図４の分解斜視図を用いて説明する。
【００１４】
アンテナ３が取り付けられる液晶側筐体１は、フロントケース１４とリアーカバー１７とから構成され、フロントケース１４とリアーカバー１７とで挟まれる空間には、電子回路を組み付けたメイン基板９が収納されている。
【００１５】
金属製のアンテナ３には、アンテナ３を液晶側筐体１のリアーカバー１７に回動可能に組み付けるための回転軸７が、アンテナ３の長手方向に直交するように設けられている。
【００１６】
一方、リアーカバー１７の裏面上で、ヒンジ２０と対向する側には、回転軸７を組み付けるための孔１２が押し切りで形成され、更に、アンテナ３を折り畳み収納するための溝１８が設けられ、この溝１８の両側には、溝１８に沿うようにリブ１３も設けられている。更に、アンテナ３は、コイルバネ８で矢印Ａ方向に付勢されるように構成されている。
【００１７】
また、メイン基板９の一方の側には、弾性を有する一対の挟み金具１０が組み付けられ、メイン基板９の他方の側には、金属製のバネ金具１１が組み付けられている。
【００１８】
そして、メイン基板９をフロントケース１４とリアーカバー１７とで挟むように組み付けた状態では、挟み金具１０が、リアーカバー１７を貫通して、リアーカバー１７から露出するようになっている。
【００１９】
また、キー側筐体２の側面部には、筐体１、２を開いた時のストッパとなる突起部１６が設けられている。
【００２０】
なお、挟み金具１０は、アンテナ３を折り畳んだ状態において、アンテナ３を固定すると共に、この金具１０を介して、アンテナ３とメイン基板９の電子回路とが電気的に接続されるように構成され、また、アンテナ３が開いた状態においては、アンテナ３の端部６がメイン基板９のバネ金具（給電端子）１１に接触して、この金具１１を介してアンテナ３とメイン基板９の電子回路とが電気的に接続されるように構成されている。
【００２１】
１５は、本発明の折り畳み式の電話機を開く際、指をかける液晶側筐体１の指かけ部である。
【００２２】
次に、このように構成した折り畳み式の電話機の開閉動作を図５〜図７に基づいて説明する。
【００２３】
本発明の折り畳み式の電話機を開く時は、図５の状態の折り畳み式の電話機のキー側筐体２を左手で保持し、液晶側筐体１のフロントケース１４の指かけ部１５に右手の親指をかけ、ヒンジ２０を中心に回転させる。この時、図６に示すように、ある角度まで回転すると、アンテナ先端部５が、筐体を開いた時のストッパとなる突起部１６に接触する。さらに回転させると、挟み金具１０が、アンテナ棒部４を支えきれなくなり、アンテナ３を開放してしまう。このとき、抑制されていたコイルバネ８の力も開放され、アンテナ３は、図７に示すように、瞬時に立ちあがる。この時、アンテナ３の端部６が、基板９に設けたバネ金具１１に接触し、アンテナ３とメイン基板９とが導通する。
【００２４】
アンテナ３の角度は、液晶側筐体１に対し従来のものより大きな角度であるので、電話機が髪の毛に埋もれても、アンテナ３が髪の毛に触れ難い為、感度の向上に寄与できる。
【００２５】
次に、電話機を折りたたむ場合は、手のひらでアンテナ３をリアカバー１７に収めながら液晶側筐体１を折りたためば、一動作でアンテナ３の収納及び電話機の折り畳みが可能になる。
【００２６】
なお、電話機を開く時にアンテナ３側から開けるとアンテナ３が手に当たって危険な為、図８に示したように、液晶側筐体１のリアカバー１７の幅をフロントケース１４より一回り小さく、フロントケース１４の幅もキー側筐体２より小さく、更に、液晶側筐体の側壁を低くすることで、リアーカバー１７に指がかかりにくくして、液晶側筐体１を掴みにくくして、安全にしている。
【００２７】
【発明の効果】
本発明に係わる折り畳み式の携帯電話機は、上述のように構成したので、折り畳んだ携帯電話機を開く際、折り畳んだ携帯電話機を開いてからアンテナを伸ばすという２段階動作が必要なく、又、開いた筐体を閉じる際も、アンテナを収納してから折り畳むという２段階動作が必要なくなり、操作が簡単なるのみならず、迅速にしかも安定した通話を行うことが可能になった。
【図面の簡単な説明】
【図１】図１は、本発明の折り畳み式の電話機を開いた状態を示す正面図である。
【図２】図２（ａ）は裏面図、図２（ｂ）は側面図である。
【図３】図３（ａ）、（ｂ）、（ｃ）は、それぞれ、本発明の電話機を閉じた状態を示す正面図、裏面図、側面図である。
【図４】図４は、液晶側筐体の分解斜視図である。
【図５】図５は、折り畳んだ状態での断面図である。
【図６】図６は、図５の状態から筐体を開いた状態の断面図である。
【図７】図７は、完全に筐体を開いた状態の断面図である。
【図８】図８は、液晶側筐体の裏面を手でつかもうとする状態を示す図である。
【図９】従来の折り畳み式の携帯電話機を示す図である。
【符号の説明】
１  液晶側筐体
２  キー側筐体
３  アンテナ
４  アンテナ棒部
５  アンテナ先端部
６  アンテナの端部
７  回転軸
８  コイルバネ
９  メイン基板
１０  挟み金具
１１  バネ金具
１２  孔
１３  リブ
１４  フロントケース
１５  指かけ部
１６  突起部
１７  リアーカバー
１８  溝
２０  ヒンジ
【図１】
0003577045.tif 000002
【図２】
0003577045.tif 000003
【図３】
0003577045.tif 000004
【図４】
0003577045.tif 000005
【図５】
0003577045.tif 000006
【図６】
0003577045.tif 000007
【図７】
0003577045.tif 000008
【図８】
0003577045.tif 000009
【図９】
0003577045.tif 000010